(57)【要約】【課題】  枝肉等の食肉の品質を落すことなく良質の食肉を提供すると共に、丈夫で洗浄や消毒、殺菌等の作業に好適なトロリー装置を提供する。【解決手段】  架設するレール（２）上を走行するトロリー（１）のローラ（４）部分と、トロリー（１）を案内保持するトロリーガイド（１２）の内面に設けたカバー部材（１３）をプラスチック材で形成し、トロリー（１）に枝肉（６）を吊下させて搬送する際に、従来のようにローラ（４）部分とレール（２）、トロリーガイド（１２）間の摩擦接触によって金属粉が発生するのを防止し、これによって金属粉が枝肉に付着しないようにする。【選択図】        図１
0003115740.tif 000002
【実用新案登録請求の範囲】
【請求項１】
架設するレール上を走行するトロリー装置において、そのトロリーのローラ部分と、このトロリーを案内保持するトロリーガイドの内面を全体的または部分的に被うカバー部材を丈夫なプラスチック材で形成したことを特徴とするトロリー装置。
【請求項２】
丈夫なプラスチック材をＭＣナイロン（モノマー注型ナイロン）とする請求項１に記載のトロリー装置。
【請求項３】
カバー部材は、ほぼチャンネル状の断面を有するトロリーガイドの内面を全体的に被うカバー本体部と、トロリーガイドの両側端部に嵌合する支持部を備えている請求項１または２に記載のトロリー装置。
【請求項４】
カバー部材は、ほぼチャンネル状の断面を有するトロリーガイドの内面の側面を被う側面部と、上面の一部を被う上面部と、トロリーガイドの両側端部に嵌合する支持部を備えている請求項１または２に記載のトロリー装置。
【請求項５】
カバー部材は、ほぼチャンネル状の断面を有するトロリーガイドの内面の側面を被う側面部と、トロリーガイドの両側端部に嵌合する支持部を備えている請求項１または２に記載のトロリー装置。
【考案の詳細な説明】
【技術分野】
【０００１】
本考案は、牛や豚等を屠殺、解体した後に枝肉等を搬送するトロリー装置に関し、特にそのトロリーのローラ部分及びトロリーを案内保持するトロリーガイドの構造に係るトロリー装置に関する。
【背景技術】
【０００２】
牛や豚等を屠殺しこれを解体した後に、枝肉は架設したレール上を走行するトロリーによって吊下され一時冷蔵庫へ搬送される。
【０００３】
この枝肉は、約１５０〜３００ｋｇの重さがあるので、この吊下に耐え得るようにトロリーのローラ部分は金属で形成されており、そのために搬送中にレールとトロリーのローラ部分の間に金属どうしの摩擦が生じこれによって微細な金属粉が発生し、この金属粉が吊下する枝肉の上に落下するということが起きている。
【０００４】
また、一方では、搬送中に枝肉が前後左右に揺れたりすると、トロリーの上部が金属製のトロリーガイドの内面と接触し、その摩擦作用によって微細な金属粉が枝肉上に降りかかるということも発生している。
【０００５】
この金属粉は、微細であるために搬送中は殆んど発見されないが、食肉として店頭に並べられる頃に金属粉が酸化してやや赤黒くなった錆として食肉上に点在しているのを発見し、この錆によって食肉の品質、外観を低下させている。
【０００６】
また、トロリーは使用後に洗浄や消毒、殺菌が施こされているが、これによって金属製のトロリーのローラ部分やトロリーガイドに錆が発生し、この錆が枝肉に付着するという問題も発生している。
しかも、このようにトロリーのローラ部分やトロリーガイドが金属製の場合は、洗浄や消毒、殺菌後に金属面のメッキが剥がれることがあり、そのために再びメッキをし直すという手間がかかっている。
【考案の開示】
【考案が解決しようとする課題】
【０００７】
本考案は、これらの問題点を解決するものであって、枝肉等の食肉の品質を落すことなく良質の食肉を提供すると共に、丈夫で洗浄や消毒、殺菌等の作業に好適なトロリー装置を提供しようとするものである。
【課題を解決するための手段】
【０００８】
本考案は、架設するレール上を走行するトロリーのローラ部分と、トロリーを案内保持するトロリーガイドの内面に設けたカバー部材をプラスチック材で形成しトロリーに吊下して搬送される枝肉に金属粉が付着しないようにしたものである。
【０００９】
また、プラスチック材としてＭＣナイロン（モノマー注型ナイロン）を用い丈夫で扱い易いトロリー装置を得るようにしたものである。
【００１０】
更に、カバー部材をトロリーガイドの内面に全体的または部分的に設け、トロリー上部との摩擦接触による金属粉の発生を防止すると共に、カバー部材を支持部によってトロリーガイドに簡便に装着できるようにしたものである。
【考案の効果】
【００１１】
本考案は、トロリーのローラ部分及びトロリーガイドの内面に設けたカバー部材をプラスチック材で形成しているので、トロリーによる搬送時に従来のような金属粉の発生がなく枝肉の商品価値を低下させないですみ、またトロリーの使用後にその洗浄や消毒、殺菌等を簡便に行うことができ、かつメッキ等の作業も省け効率がよい。
【００１２】
また、プラスチック材としてＭＣナイロンを用いることにより、一層良好な耐摩耗性、自己潤滑性、耐薬品性等を有する丈夫なトロリー装置を得ることができる。
【００１３】
更に、カバー部材をトロリーガイドの内面の接触域に応じて全体的または部分的に設けることができ、しかもカバー部材に設けた支持部をトロリーガイドの両側端部に嵌合することによってカバー部材をトロリーガイドに簡便に保持することができる。
【考案を実施するための最良の形態】
【００１４】
トロリー（１）は、これに軸（３）支するローラ（４）を有し、このローラを架設したレール（２）上に走行させて枝肉（６）を搬送するようにしている。
【００１５】
トロリー（１）は、上記軸（３）を支持するフレーム（５）と、枝肉（６）を吊下するフック（７）と、上記フレーム（５）とフック（７）の間を回転自在に接続する自在杆（８）を備えている。
【００１６】
一方、上記レール（２）は、レールハンガー（９）に支持されており、このレールハンガー（９）が天井等に固定した吊部材（１０）から吊下する支持部材（１１）に支持されている。
【００１７】
上記レールハンガー（９）には、トロリー（１）が走行中にレールから外れないように案内保持するトロリーガイド（１２）が設けられている。
【００１８】
このトロリーガイド（１２）は、実施例では断面がほぼチャンネル状に形成されておりトロリーのフレーム（５）の上部を覆うように形成されている。
【００１９】
トロリーガイド（１２）には、後述するようにその内面を全体的または部分的に被うカバー部材（１３）が設けられている。
【００２０】
上記トロリーのローラ（４）部分及びカバー部材（１３）は、ＭＣナイロン（モノマー注型ナイロン）、その他のナイロン、ポリアセタール、ポリイミド、ポリエーテルエーテルケトン（ＰＥＥＫ）、超高分子量ポリエチレン（ＵＨＭＷ）等その他の丈夫なプラスチック材で形成することができる。
なお、この材料中のＭＣナイロンは、耐摩耗性、自己潤滑性、耐薬品性等の面において良好であるので、上記ローラ（４）及びカバー部材（１３）の材料として好適である。
【００２１】
カバー部材（１３）は、図３に示すように、トロリーガイド（１２）の内面を全体的または部分的に被うカバー本体部（１４）と、トロリーガイド（１２）の両側端部（１５）に嵌合する断面Ｕ字状に屈曲した支持部（１６）を有している。
【００２２】
図３（ａ）に示すものは、トロリーガイド（１２）の内面をカバー部材（１３）で全体的に被うものであり、また図３（ｂ）〜（ｅ）に示すものは、トロリーガイド（１２）の内面の側面部（１７）及び上面部（１８）をカバー部材（１３）をもって部分的に被うようにしたものである。
【００２３】
上記カバー部材（１３）は、その支持部（１６）をもってトロリーガイド（１２）に装着されているが、これと共に、またはこれに代えて、そのカバー部材をネジ（ピスを含む）（１９）等を用いて固定したり、接着剤を介して固着したりすることができる。
なお、上記ネジを用いる場合、このネジ部分もプラスチック材で形成するようにしてもよく、またトロリー（１）の上部と接触しないところではタップネジ等の金属製のネジを用いるようにしてもよい。
【図面の簡単な説明】
【００２４】
【図１】本考案の実施例を示す正面図である。
【図２】図１における側面図である。
【図３】カバー部材をトロリーガイドに装着した状態を示す拡大正面図である。
【符号の説明】
【００２５】
１  トロリー      ２  レール      ４  ローラ      １２  トロリーガイド
１３  カバー部材      １４  カバー本体部      １６  支持部
【図１】
0003115740.tif 000003
【図２】
0003115740.tif 000004
【図３】
0003115740.tif 000005
【手続補正書】
【提出日】平成17年8月24日(2005.8.24)
【手続補正１】
【補正対象書類名】実用新案登録請求の範囲
【補正対象項目名】請求項２
【補正方法】変更
【補正の内容】
【請求項２】
丈夫なプラスチック材をモノマー注型ナイロンとする請求項１に記載のトロリー装置。
【手続補正２】
【補正対象書類名】明細書
【補正対象項目名】０００９
【補正方法】変更
【補正の内容】
【０００９】
また、プラスチック材としてモノマー注型ナイロンを用い丈夫で扱い易いトロリー装置を得るようにしたものである。
【手続補正３】
【補正対象書類名】明細書
【補正対象項目名】００１２
【補正方法】変更
【補正の内容】
【００１２】
また、プラスチック材としてモノマー注型ナイロンを用いることにより、一層良好な耐摩耗性、自己潤滑性、耐薬品性等を有する丈夫なトロリー装置を得ることができる。
【手続補正４】
【補正対象書類名】明細書
【補正対象項目名】００２０
【補正方法】変更
【補正の内容】
【００２０】
上記トロリーのローラ（４）部分及びカバー部材（１３）は、モノマー注型ナイロン、その他のナイロン、ポリアセタール、ポリイミド、ポリエーテルエーテルケトン（ＰＥＥＫ）、超高分子量ポリエチレン（ＵＨＭＷ）等その他の丈夫なプラスチック材で形成することができる。
なお、この材料中のモノマー注型ナイロンは、耐摩耗性、自己潤滑性、耐薬品性等の面において良好であるので、上記ローラ（４）及びカバー部材（１３）の材料として好適である。